(57)【要約】      （修正有）【課題】水筒などの物品を自転車に着脱自在に取り付けるバックルにおいて、物品と自転車のフレームが直接接触する事をなくした自転車用バックルを提供する。【解決手段】自転車用バックルは、固定素子１及びバックル素子３を備え、固定素子１は自転車のフレーム５に固設され、バックル素子３は物品７の載置に用いられる。バックル素子３の第１の可動台３１及び第２の可動台３２を固定素子１の第１の固定台１１及び第２の固定台１２に対応して係合することにより、バックル素子３及びその上に載置される物品はフレーム５の上に着脱自在に固設される。自転車用バックルは、物品を着脱する便利性を持ち、物品表面の破損を防ぎ、かつ、バックル素子の固定強度を高める。【図２】
0003174688.tif 000002
【実用新案登録請求の範囲】
【請求項１】
固定素子及びバックル素子を備える自転車用バックルであって、
前記固定素子は、フレームに固設される第１の固定台と、前記フレームに固設され、且つ、前記第１の固定台と一定距離離れている第２の固定台とを有し、
前記バックル素子は、水筒、ツールケース或いはツールラックを載置し、前記第１の固定台に着脱自在に係合される第１の可動台及び前記第２の固定台に着脱自在に係合される第２の可動台を有し、
前記第１の固定台及び前記第２の固定台のそれぞれは、プーリー状であり、その外側面に凹部を設け、
前記第１の可動台及び前記第２の可動台のそれぞれには、開口が有り、前記第１の固定台或いは第２の固定台の凹部を係合するために用いられる馬蹄部と、前記馬蹄部の前記開口の両端に設置され、前記馬蹄部を導引することにより、前記馬蹄部を前記第１の固定台或いは第２の固定台の凹部の中に係合させる二つの導引部と、を備え、
前記第１或いは第２の可動台の馬蹄部の内径は前記第１の固定台或いは第２の固定台の凹部の直径と実質的に等しく、前記馬蹄部の開口の幅は前記馬蹄部の内径よりも小さいことを特徴とする自転車用バックル。
【請求項２】
前記第２の可動台の馬蹄部及び導引部の間には、前記馬蹄部及び前記導引部の間の距離を延長するために用いられる二つの延長導引部をさらに備えることを特徴とする請求項１に記載の自転車用バックル。
【請求項３】
前記第２の可動台は、前記第２の固定台の凹部の中に係合される二つのフランジを備えることを特徴とする請求項１に記載の自転車用バックル。
【請求項４】
前記第１の可動台の馬蹄部の開口は下向きとなり、前記第２の可動台の馬蹄部の開口は左向き或いは右向きとなることを特徴とする請求項１に記載の自転車用バックル。
【請求項５】
前記第１の固定台及び前記第２の固定台は、前記第１の固定台及び第２の固定台と前記フレームとの間に設置され、前記第１の固定台及び第２の固定台と前記フレームとの間の間隙を充填する固定ワッシャーをさらに備えることを特徴とする請求項１に記載の自転車用バックル。
【請求項６】
前記バックルは、結合素子を利用して前記水筒、ツールケース或いはツールラックを載置し、前記結合素子はバンディング、固定リング或いは一対の面ファスナーから選択されることを特徴とする請求項１に記載の自転車用バックル。
【請求項７】
前記第１の可動台の底部には、係合凸部を有することにより、前記第１の固定台が第１の可動台の中に係合されることを特徴とする請求項１に記載の自転車用バックル。
【請求項８】
前記バックル素子は、水筒を載置するために用いられ、前記水筒の側辺に対称に設置され且つ弧度が前記水筒に対応する二つの翼板を備えることを特徴とする請求項１に記載の自転車用バックル。
【請求項９】
前記二つの翼板は、前記水筒を固定するために用いられるバンディングテープを有することを特徴とする請求項８に記載の自転車用バックル。
【請求項１０】
前記二つの翼板は外端の幅が内端の幅よりも大きく、前記水筒は外套をさらに備え、前記水筒は前記外套の中に放置され、前記外套は二つの挿入部を備え、前記二つの翼板が前記挿入部の中に挿入されることにより、前記外套は前記バックル素子に結合されることを特徴とする請求項８に記載の自転車用バックル。
【請求項１１】
前記バックル素子は、前記水筒の底部を支持する底板を備え、前記底板はほぼＹ字状であり、前記外套は、前記底板を対応して挿入部を有し、前記底板は前記挿入部の中に挿入され、前記外套の底部は前記バックル素子に結合されることを特徴とする請求項１０に記載の自転車用バックル。
【請求項１２】
前記外套は、前記水筒の口部を露出する開口を有し、ファスナーテープをさらに備えることにより、前記水筒を前記外套の中に取り出し或いは入れやすいようにすることを特徴とする請求項１０に記載の自転車用バックル。
【請求項１３】
前記第１の可動台の馬蹄部の開口は下向きとなり、前記第２の可動台の馬蹄部の開口は下向きとなることを特徴とする請求項１に記載の自転車用バックル。
【請求項１４】
前記第１の可動台の馬蹄部の開口は上向きとなり、前記第２の可動台の馬蹄部の開口は下向きとなることを特徴とする請求項１に記載の自転車用バックル。
【考案の詳細な説明】
【技術分野】
【０００１】
本考案は、自転車用バックルに関し、特に二つの固定具と二つの可動具との間の対応する係合により、物件を自転車のフレームに対し容易に着脱することができるとともに、固定強度を高める自転車用バックルに関する。
【背景技術】
【０００２】
現在、自転車は、広く使用される交通手段であって、さらに好ましい運動及びレジャー活動用品となってきた。一般の自転車において、物件はフレームの上に設置或いは配置されて、自転車の機能及び使用される物件の利便性を高める。特に、自転車の使用に影響を与えなくて容易に取り出すフレームの位置に、ボトルケージ（bottle cage）を設置したり、水筒を配置したり、自転車の運転者へ飲料水を有する水筒を提供することができる。
【０００３】
図１に示すように、従来の自転車のボトルケージは、自転車のフレーム９１、ボトルケージ９２及び水筒９３を含む。フレーム９１は、二つのネジ穴９１１を設けている。ボトルケージ９２は、中空のＬ字形の彎曲骨組みであって、二つの螺着素子ａは、ボトルケージ９２の二つの貫通孔（図示せず）及び二つのネジ穴９１１を貫通し、ボトルケージ９２をフレーム９１の上に螺着する。水筒９３は、上から下へ向かってボトルケージ９２に配置されている。ボトルケージ９２の制限により、水筒９３は、離脱されることがなく、自転車の運転者が簡便にボトルケージ９２に使用及び取出できる。
【０００４】
しかし、実使用時に、上述のボトルケージには、以下の欠点がある。（１）ボトルケージ９２は、水筒９３と直接接触しているので、したがって、水筒９３を取出する時或いは自転車に振動が発生する時に、水筒９３の表面上の材料或いは印刷品の破損が容易に発生し、水筒の品質及び美感に影響を与えることがある。（２）水筒９３はフレーム９１の上に配置されない時、ボトルケージ９２はフレーム９１の上に依然として固設されていて、そのために自転車の外観に影響を与えることがある。（３）ボトルケージ９２は、折り畳み自転車を折り畳むことに影響を与えるために、折り畳み自転車には適合しない。
【０００５】
従って、現在の問題を解決することができる自転車用バックルを提供する必要がある。
【考案の概要】
【考案が解決しようとする課題】
【０００６】
本考案の目的は、バックル素子の第１の可動台及び第２の可動台を固定素子の第１の固定台及び第２の固定台に対応して係合することにより、バックル素子及びその上に載置される物件はフレームの固定素子に着脱自在に固設され、バックル素子は結合素子を利用して物件を結合及び載置し、物件の表面とフレームと直接に接触する破損を防ぐ自転車用バックルを提供することにある。
【０００７】
本考案の他の目的は、第１の可動台及び第２の可動台の馬蹄部の開口方向は同じでなく、自転車用バックルの固定強度を高める自転車用バックルを提供することにある。
【０００８】
本考案のもう１つの目的は、バックル素子及び物件が固定素子に載置されない時、自転車の外観に影響を与えない自転車用バックルを提供することにある。
【０００９】
本考案のもう一つの目的は、バックル素子が折り畳み自転車の使用に適し、バックル素子及び物件が固定素子に載置されない時、折り畳み自転車の折り畳む機能に影響を与えることはない自転車用バックルを提供することにある。
【課題を解決するための手段】
【００１０】
上記目的を達成するために、本考案は、固定素子及びバックル素子を備える自転車用バックルであって、固定素子はフレームに固設され、バックル素子は物件を載置し、バックル素子の第１の可動台及び第２の可動台を固定素子の第１の固定台及び第２の固定台に対応して係合することにより、バックル素子及びその上に載置される物件はフレームの上に着脱自在に固設され、物件を着脱する便利性を持ち、物件表面の破損を防ぐ上、バックル素子の固定強度を高める自転車用バックルを提供する。
【００１１】
本考案の一実施形態において、前記第１の固定台及び前記第２の固定台のそれぞれは、プーリー状であり、その外側面に凹部が設けられている。
【００１２】
本考案の一実施形態において、前記第１の可動台及び前記第２の可動台のそれぞれには、開口が有り、前記第１の固定台或いは第２の固定台の凹部を係合するために用いられる馬蹄部と、前記馬蹄部の前記開口の両端に設置され、前記馬蹄部を導引することにより、前記馬蹄部を前記第１の固定台或いは第２の固定台の凹部の中に係合させる二つの導引部とを備える。
【００１３】
本考案の一実施形態において、前記第２の可動台の馬蹄部及び導引部の間には、前記馬蹄部及び前記導引部の間の距離を延長するために用いられる二つの延長導引部をさらに備える。
【００１４】
本考案の一実施形態において、前記第２の可動台は、前記第２の固定台の凹部の中に係合される二つのフランジを備える。
【００１５】
本考案の一実施形態において、前記第１の可動台の馬蹄部の開口は下向きとなり、前記第２の可動台の馬蹄部の開口は左向き或いは右向きとなる。
【００１６】
本考案の一実施形態において、前記第１の可動台の馬蹄部の開口は下向きとなり、前記第２の可動台の馬蹄部の開口は下向きとなる。
【００１７】
本考案の一実施形態において、前記第１の可動台の馬蹄部の開口は上向きとなり、前記第２の可動台の馬蹄部の開口は下向きとなる。
【００１８】
本考案の一実施形態において、前記第１或いは第２の可動台の馬蹄部の内径は前記第１の或いは第２の固定台の凹部の直径と実質的に等しく、前記馬蹄部の開口の幅は前記馬蹄部の内径よりも小さい。
【００１９】
本考案の一実施形態において、前記第１の固定台及び前記第２の固定台は、前記第１の固定台及び第２の固定台と前記フレームとの間に設置され、前記第１の固定台及び第２の固定台と前記フレームとの間の間隙を充填する固定ワッシャーをさらに備える。
【００２０】
本考案の一実施形態において、前記バックルは、容器或いはラックである。
【００２１】
本考案の一実施形態において、前記バックルは、結合素子を利用して水筒、ツールケース或いはツールラックを載置し、前記結合素子はバンディング、固定リング或いは一対のファイルから選択される。
【考案の効果】
【００２２】
従来の技術に比べ、本考案の固定素子は自転車のフレームに固設され、バックル素子は物件を載置するために用いられる。これにより、自転車用バックルは、物件を着脱する便利性を持ち、物件表面の破損を防ぐ上、バックル素子の固定強度を高めることもできる。
【図面の簡単な説明】
【００２３】
【図１】従来の自転車のボトルケージを示した図である。
【図２】本考案の第１の実施形態の自転車用バックルを示す分解斜視図である。
【図３Ａ】本考案の第１の実施形態の自転車用バックルの組み立て過程を示した図である。
【図３Ｂ】本考案の第１の実施形態の自転車用バックルを組み立てたときの状態を示す図である。
【図４Ａ】本考案の第２の実施形態の自転車用バックルの組み立て過程を示した図である。
【図４Ｂ】本考案の第２の実施形態の自転車用バックルの組み立て過程を示した図である。
【図４Ｃ】本考案の第２の実施形態の自転車用バックルの組み立て過程及び組み立てたときの状態を示す図である。
【図４Ｄ】本考案の第２の実施形態の自転車用バックルの組み立て過程及び組み立てたときの状態を示す図である。
【図５】本考案の第３の実施形態の自転車用バックルの一部を示す断面図である。
【図６】本考案の第４の実施形態の自転車用バックルの一部を示す断面図である。
【図７】本考案の第５の実施形態の自転車用バックルのバックル素子を示す斜視図である。
【図８Ａ】本考案の第６の実施形態の自転車用バックルのバックル素子を示す斜視図である。
【図８Ｂ】本考案の第７の実施形態の自転車用バックルのバックル素子を示す斜視図である。
【図９Ａ】本考案の第８の実施形態の自転車用バックルのバックル素子を示す斜視図である。
【図９Ｂ】本考案の第８の実施形態の自転車用バックルのバックル素子を示す斜視図である。
【図９Ｃ】本考案の第９の実施形態の自転車用バックルのバックル素子を示す斜視図である。
【図１０Ａ】本考案の第１０の実施形態の自転車用バックルの組み立て過程を示す斜視図である。
【図１０Ｂ】本考案の第１０の実施形態の自転車用バックルの組み立て過程を示す斜視図である。
【図１０Ｃ】本考案の第１０の実施形態の自転車用バックルの組み立て過程を示す斜視図である。
【考案を実施するための形態】
【００２４】
本考案の自転車用バックルは、一般の自転車或いは折り畳み自転車のフレームに選択的に組み入れられることにより、例えば、水筒、ツールケース或いはツールラック等物件を載置することができる。しかし、自転車に物件を放置する位置は、使用の必要に応じて任意に設置してもよく、本考案はこれだけに限定されない。本考案の以下の説明において、「上」、「下」、「左」、「右」などの方向関係は、一般の自転車を正常に使用する状態でフレームが地面、自転車のヘッド及び後部に相対する方向関係を示し、フレームの傾斜角を考慮しない。上述した位置用語は、本考案の部材の間の配列関係を単に説明しただけのものであり、本考案を何ら制約するものではない。
【００２５】
図２は、本考案の第１の実施形態の自転車用バックルを示す分解斜視図である。図２に示すように、自転車用バックルは、固定素子１及びバックル素子３を備える。固定素子１は、第１の固定台１１及び第２の固定台１２を備える。バックル素子３は、第１の可動台３１及び第２の可動台３２を備え、例えば水筒等の物件を載置することができる。
【００２６】
図２に示すように、本考案の第１の実施形態において、固定素子１の第１の固定台１１は、プーリー状であり、その外側面に凹部１１１を設ける。また、第１の固定台１１は、その中心に貫通穴１１２を設け、螺着素子ａによりフレーム５のネジ穴５１に螺着される。本実施形態では、固定素子１の第２の固定台１２は、第１の固定台１１と同じ形状を有し、その外側面に凹部１２１を設ける。第２の固定台１２は、その中心に貫通穴１２２を設け、螺着素子ａによりフレーム５のネジ穴５１に螺着される。第１の固定台１１と第２の固定台１２とは適切な距離で離される。
【００２７】
図２に示すように、本考案の第１の実施形態において、バックル素子３の第１の可動台３１は、馬蹄部３１１及び二つの導引部３１２を有する。馬蹄部３１１は「Ω」と類似する馬蹄形の構造であり、馬蹄部３１１の一側には開口を有する。馬蹄部３１１の内径は第１の固定台１１の凹部１１１の直径と実質的に等しく、馬蹄部３１１の開口の幅は馬蹄部３１１の内径よりも小さい。二つの導引部３１２は、馬蹄部３１１の開口の両端に設置される。第１の可動台３１の馬蹄部３１１と固定素子１の第１の固定台１１の凹部１１１とは互いに対応して係合され、二つの導引部３１２は馬蹄部３１１を導引することにより、馬蹄部３１１をスムースに凹部１１１の中に係合させることができる。本実施形態では、バックル素子３の第２の可動台３２は、第１の可動台３１と同じ形状を有し、馬蹄部３２１及び二つの導引部３２２を有する。馬蹄部３２１は、「Ω」と類似する馬蹄形の構造であり、その一側に開口を有する。二つの導引部３２２は、馬蹄部３１１のの開口の両端に設置される。第２の可動台３２の馬蹄部３２１と固定素子１の第２の固定台１２の凹部１２１とは互いに対応して係合され、二つの導引部３２２は馬蹄部３２１を導引することにより、馬蹄部３２１をスムースに凹部１２１の中に係合させることができる。
【００２８】
図２に示すように、本考案の第１の実施形態の第１の固定台１１及び第２の固定台１２は、例えば金属或いはエンジニアリングプラスチック（engineering plastic）などの強度がある耐磨耗材料からなることが好ましい。第１の固定台１１及び第２の固定台１２のそれぞれは、二つの固定ワッシャーｂを備え、一つの固定ワッシャーｂは第１の固定台１１とフレーム５との間に設置され、もう一つの固定ワッシャーｂは第２の固定台１２とフレーム５との間に設置される。一般のフレーム５の表面形状は円形或いは楕円形であるため、固定ワッシャーｂは、第１の固定台１１及び第２の固定台１２とフレーム５との間の間隙を充填することができ、第１の固定台１１及び第２の固定台１２の縁の衝突を防止し、見栄えがする効果を持っている。
【００２９】
図２に示すように、本考案の第１の実施形態の第１の固定台１１及び第２の固定台１２は固定ワッシャーｂによりフレーム５の上に固定されるが、本考案はこれだけに限定されない。例えば、第１の固定台１１及び第２の固定台１２は、バンディング、固定リング或いは溶接などの手段により、フレーム５の上に固定される。
【００３０】
上記から分かるように、本考案のバックル素子３は、物件を載置するために用いられる。本考案の第１の実施形態において、自転車用バックルの開示されるバックル素子３は、水筒と結合するために用いられ、本考案はこれだけに限定されない。例えば、バックル素子３は、物入れ容器（例えばツールケース）或いはラック（例えばツールラック）と結合するために用いてもよい。或いは、バックル素子３は、物入れ容器又はラックでもよい。
【００３１】
図３Ａは、本考案の第１の実施形態の自転車用バックルの組み立て過程を示した図であり、その視角方向はフレーム５から自転車用バックルに向かい、フレーム５を省略する。図３Ａに示すように、バックル素子３の第１の可動台３１及び第２の可動台３２は、例えば金属或いはエンジニアリングプラスチックなどの強度及び弾性がある材料からなることが好ましい。本実施形態では、第１の可動台３１の馬蹄部３１１の開口及び第２の可動台３２の馬蹄部３２１の開口は、下向きとなっている。組み立ての時、バックル素子３を上から下へ向かって固定素子１へ移動し、バックル素子３の第１の可動台３１の馬蹄部３１１の開口を第１の固定台１１の凹部１１１の上方に位置させ、第２の可動台３２の馬蹄部３２１の開口を第２の固定台１２の凹部１２１の上方に位置させる。
【００３２】
図３Ａに示すように、第１の可動台３１の馬蹄部３１１の開口は凹部１１１よりも小さく、第２の可動台３２の馬蹄部３２１の開口は凹部１２１よりも小さい。そのため、第１の可動台３１の導引部３１２は第１の固定台１１の凹部１１１を当接し、第２の可動台３２の導引部３２２は第２の固定台１２の凹部１２１を当接する。しかし、バックル素子３が継続して下向きに移動する時、第１の可動台３１の馬蹄部３１１の開口及び第２の可動台３２の馬蹄部３２１の開口は、弾性力により拡大される。
【００３３】
図３Ｂは、本考案の第１の実施形態の自転車用バックルを組み立てたときの状態を示す図であり、その視角方向はフレーム５から自転車用バックルに向かい、フレーム５を省略する。図３Ｂに示すように、第１の可動台３１の馬蹄部３１１の開口及び第２の可動台３２の馬蹄部３２１の開口が拡大される時、第１の可動台３１の馬蹄部３１１及び第２の可動台３２の馬蹄部３２１は、第１の固定台１１の凹部１１１及び第２の固定台１２の凹部１２１の中に係合され、係合した結合を形成する。そのため、バックル素子３が固定素子１から離脱することはない。さらに、本実施形態では、バックル素子３及び固定素子１の分離は、上方向へ加わる力以外に、その他の方向（例えば下、左、右）へ加わる力によりできない。したがって、自転車用バックルは、着脱自在な固定機能を自転車のフレーム５へ確実に提供することができる。なお、二対の素子の組み立て構造は、物件７の固定強度を高めることができ、特に一般の長柱型の物件の固定強度を高めることもできる。
【００３４】
さらに、水筒などの物件７が取り付けられない場合、小体積の二つの固定台１１、１２はフレーム３に残され、自転車の外観に影響を与えることはない。特に、自転車用バックルは、折り畳み自転車の使用に適することもできる。バックル素子３を外した折り畳み自転車のフレームの上には、小体積の二つの固定台１１、１２が残される。そのため、折り畳み自転車の折り畳む機能に影響を与えることはない。
【００３５】
図４Ａ及び図４Ｂは、本考案の第２の実施形態の自転車用バックルの組み立て過程を示した図であり、その視角方向はフレーム５から自転車用バックルに向かい、フレーム５を省略する。図４Ａ及び図４Ｂに示すように、本考案の第２の実施形態は、第１の実施形態と類似しており、第１の実施形態の符号を実質的に使用している。しかし、第２の実施形態と第１の実施形態との相違点は、バックル素子３の第１の可動台３１の馬蹄部３１１の開口が下向きとなり、第２の可動台３２の馬蹄部３２１の開口を右向き或いは左向きに変える。図４Ａを参照する。組み立ての際に、先ずバックル素子３の下端が図の左方向に向かい、図の右上から左下へ向かって第１の可動台３１の馬蹄部３１１を第１の固定台１１の凹部１１１の中に係合させ、結合を形成する。
【００３６】
図４Ｃ及び図４Ｄは、本考案の第２の実施形態の自転車用バックルの組み立て過程及び組み立てたときの状態を示す図であり、その視角方向はフレーム５から自転車用バックルに向かい、フレーム５を省略する。図４Ｃ及び図４Ｄに示すように、上述したステップ後に、係合した第１の固定台１１を支点として、バックル素子３を反時計方向に回動して、第２の可動台３２の馬蹄部３２１を第２の固定台１２の凹部１２１の中に係合させ、結合を形成する。これによって、他の方向（例えば上、下、左、右或いは斜め方向）の力を加えたとしても、バックル素子３が固定素子１から離脱することはない。バックル素子３の第１の可動台３１の馬蹄部３１１の開口は、第２の可動台３２の馬蹄部３２１の開口と垂直となっている。そのため、バックル素子３が容易に固定素子１から離脱しないようにしている。
【００３７】
本考案の第２の実施形態において、自転車用バックルは、自転車のフレーム５に着脱自在な固定機能を確実に持つことができる。さらに、物件７の固定強度を高めることができる。なお、バックル素子３を取り出す時、上述した取り付けるステップと反対の順番で行うことができる。先ず第１の固定台１１を支点として、バックル素子３を時計方向に回動して、図の右側から左側へ向かってバックル素子３の下端の第２の可動台３２を第２の固定台１２から離脱する。次に、バックル素子３が左下から右上へ向かって付勢されることにより、第１の可動台３１を第１の固定台１１から離脱して、バックル素子３をフレーム５から取り出すことができる。この二段動作は、フレーム５の上にバックル素子３の固定強度を高めることができる上、一方の手で動作が行いやすいようにすることもできる。自転車の運転者の好み及び習慣により、バックル素子３の下端の第２の可動台３２の開口の方向を調整することができる（例えば馬蹄部３２１の開口は左向きとなっている）。
【００３８】
上記から分かるように、本考案の第１の実施形態において、第１の可動台３１の開口の方向は第２の可動台３２の開口の方向と同じである。本考案の第２の実施形態において、第１の可動台３２の開口の方向は第２の可動台３２の開口の方向と異なる。しかし、本考案はこれだけに限定されない。第１の可動台３１の開口の方向及び第２の可動台３２の開口の方向は、第１の可動台３１と第１の固定台１１との係合する結合及び第２の可動台３２と第１の固定台１２との係合する結合の必要に応じて任意に配列してもよい。
【００３９】
図５は、本考案の第３の実施形態の自転車用バックルの一部を示す断面図である。図５に示すように、本考案の第３の実施形態は、第１の実施形態と類似しており、第１の実施形態の符号を実質的に使用している。しかし、第３の実施形態と第１の実施形態との相違点は、自転車用バックルが物件７（例えば水筒）を備える。物件７は外筒７１をを有し、外筒７１はその側面に第１の面ファスナー（Velcro）ｃ（つまり第１の結合素子）を設ける。さらに、バックル素子３は、外筒７１の外形を対応する円弧状板である。外筒７１に向かってバックル素子３の表面には、第２の面ファスナーｄ（つまり第２の結合素子）を設ける。第１の面ファスナーｃ及び第２の面ファスナーｄの結合により、バックル素子３は、外筒７１と着脱自在に結合される。そのため、水筒７を取出する時、他の部材との摩擦がなく、水筒７の表面上の材料或いは印刷品の破損もなく、水筒の品質及び美感を確保することもできる。
【００４０】
上記から分かるように、本考案のバックル素子３は、物件７を載置するために用いられる。本考案の第３の実施形態の自転車用バックルの開示される水筒は、外筒７１の第１の面ファスナーｃにより、バックル素子３の第２の面ファスナーｄと結合される。本考案の第３の実施形態において、外筒７１は、先ず物件７（水筒）を被覆して、次にバックル素子３と結合される。しかし、本考案はこれだけに限定されない。例えば、バックル素子３は、物入れ容器（例えばツールケース）或いはラック（例えばツールラック）と結合するために用いてもよい。或いは、バックル素子３は、物入れ容器或いはラックでもよい。さらに、物件７（水筒）は、外筒７１を省略することができ、第１の面ファスナーａを直接に設けてバックル素子３の第２の面ファスナーｄと結合される。或いは、水筒７は、バンディング又は固定リングなどの手段により、バックル素子３の上に固定される。
【００４１】
図６は、本考案の第４の実施形態の自転車用バックルの一部を示す断面図である。図６に示すように、本考案の第４の実施形態は、第３の実施形態と類似しており、第３の実施形態の符号を実質的に使用している。しかし、第４の実施形態と第３の実施形態との相違点は、バックル素子３の第１の固定台１１及び第２の固定台１２の断面形状が等しくなく、固定ワッシャーｂがない。図５を参照し、本考案の第３の実施形態において、第１の固定台１１及び第２の固定台１２の断面形状から分かるように、凹部１１１及び１２１は、その外側面の中間に形成される。したがって、その断面形状はＩ字状である。図６を参照し、本考案の第４の実施形態において、第１の固定台１１’及び第２の固定台（図示せず）の断面形状から分かるように、凹部１１１’は、第１の固定台１１’の外側面且つフレーム５に隣接した箇所に形成され。したがって、第１の固定台１１’は、断面形状がＴ字状であって、第１の可動台３１’の馬蹄部３１１’と係合される。これにより、本考案の第４の実施形態において、第１の固定台１１’、第２の固定台（図示せず）、第１の可動台３１’及び第２の可動台（図示せず）の厚さを減少させることができる。
【００４２】
図７は、本考案の第５の実施形態の自転車用バックルのバックル素子を示す斜視図である。図７に示すように、本考案の第５の実施形態は、第１の実施形態と類似している。しかし、第５の実施形態と第１の実施形態との相違点は、バックル素子３ａが一体に成形した彎曲フレームの第１の可動台３１ａ及び第２の可動台３２ａを有するとともに、第１の可動台３１ａ及び第２の可動台３２ａの外形が等しくない。図７を参照し、第１の可動台３１ａ及び第２の可動台３２ａは、約Ｗ字状の連続彎曲フレームであり、強度及び弾性がある金属材料（例えばアルミニウム）からなることが好ましい。本実施形態において、第１の可動台３１ａは馬蹄部３１１ａ及び二つの導引部３１２ａを有し、第２の可動台３２ａは馬蹄部３２１ａ、二つの導引部３２２ａ及び二つの延長導引部３２３ａを有する。二つの延長導引部３２３ａは、馬蹄部３２１ａ及び二つの導引部３２２ａの間に位置されて、馬蹄部３２１ａ及び二つの導引部３２２ａの間の距離を延長するために用いられる。したがって、バックル素子３ａを取り付ける時、先ず第２の可動台３２ａが第２の固定台１２を接触し、次に、延長導引部３２３ａの当接により、第１の可動台３１と第１の固定台１１（図２を参照する）とは位置を互いに合わせて、係合の動作を完成する。また他の実施形態では、二つの延長導引部は第１の可動台３１ａの上に形成される。本考案の第５の実施形態は、二対の可動台及び固定台は同時に位置を互いに合わせる必要がある第１の実施形態に比べ、導引作用を形成することにより二対の可動台及び固定台は順番に位置が互いに合わされて、係合の動作が行いやすいようにする。
【００４３】
図８Ａは、本考案の第６の実施形態の自転車用バックルのバックル素子を示す斜視図である。図８Ａに示すように、本考案の第６の実施形態は、第１の実施形態と類似しておる。しかし、第６の実施形態と第１の実施形態との相違点は、バックル素子３ｂが板状方式の第１の可動台３１ｂ及び第２の可動台３２ｂを有するとともに、第１の可動台３１ｂ及び第２の可動台３２ｂの外形が等しくない。図８Ａを参照する。第１の可動台３１ｂは本考案の第１の実施形態の第１の可動台３１と類似している。第１の可動台３１ｂは、馬蹄部３１１ｂ及び二つの導引部３１２ｂを有することにより、第１の固定台１１（図２を参照する）と係合して結合する機能を持っている。第２の可動台３２ｂは、外側から内側へ折り曲げられて二つのフランジ３２１ｂを形成し、第２の固定台１２の凹部１２１（図２を参照する）の中に係合されることにより、位置の制限作用を形成することができる。第１の可動台３１は第１の固定台１１と係合して結合し、第２の可動台３２ｂの位置は第２の固定台１２の中に制限され。そのため、バックル素子３ｂは、固定素子１の上に固着される。また他の実施形態では、二つのフランジ３２１ｂ（図示せず）は第１の可動台３１ｂの上に形成される。したがって、本考案の各種実施形態において、二対の可動台及び固定台の形式、サイズ及び機能は限定されない。
【００４４】
図８Ｂは、本考案の第７の実施形態の自転車用バックルのバックル素子を示す斜視図である。図８Ｂに示すように、本考案の第７の実施形態は、第６の実施形態と類似しておる。しかし、第６の実施形態と第１の実施形態との相違点は、第２の可動台３２ｂの外形が等しくない。図８Ｂを参照する。第２の可動台３２ｂは、外側から内側へ折り曲げられて二つのフランジ３２１ｂ（側辺及び底辺）を形成し、内側から外側へ折り曲げられて一つの外フランジ３２１ｂ’（側辺）を形成する。外フランジ３２１ｂ’は、弾性力により係合する機能を持っている。したがって、本考案の第７の実施形態は、第２の実施形態（図４Ａ乃至図４Ｃ）と類似する操作方式を行うことができる。先ずバックル素子３ｂの第１の可動台３１ｂの馬蹄部３１１ｂが第１の固定台１１の凹部１１１（図示せず）の中に係合され、係合された結合を形成する。次に、第１の可動台３１ｂを支点としてバックル素子３ｂを回動して、バックル素子３ｂの下端の第２の可動台３２ｂが第２の固定台１２（図示せず）の中に係合され、位置を制限する結合を形成する。二つのフランジ３２１ｂは位置を制限する機能を持ち、外フランジ３２１ｂ’は係合機能を持つ。そのため、バックル素子３ｂは固定素子１の上に固着される。
【００４５】
図９Ａ及び図９Ｂは、本考案の第８の実施形態の自転車用バックルのバックル素子を示す斜視図である。図９Ａ及び図９Ｂに示すように、本考案の第８の実施形態は、第１の実施形態と類似しており、第１の実施形態の符号を実質的に使用している。しかし、第８の実施形態特徴は、バックル素子３の第１の可動台３１の馬蹄部３１１の開口及び第２の可動台３２の馬蹄部３２１の開口が下向きとなり、第２の可動台３２が馬蹄部３２１及び導引部３２２を有する。図９Ｂを参照する。バックル素子３は、水筒８を載置するために用いられる。バックル素子３は、水筒８の側辺に対称に設置され且つ弧度が水筒に対応する二つの翼板３３を備える。二つの翼板３３は、外端の幅が内端の幅よりも大きいことが好ましい。バックル素子３は、水筒８の底部を支持する底板３４をさらに備える。底板３４は、Ｙ字状であることが好ましく、しかし、これに限定されることない。第１の可動台３１の底部には、係合凸部３５を有することにより、第１の固定台１１（図示せず）が第１の可動台３１の中に係合される。
【００４６】
さらに、水筒８は、水筒外套８１をさらに備える。水筒外套８１は、柔軟性、防水性及び保温性を持つ材料からなることが好ましい。水筒８は、水筒外套８１の中に放置される。水筒外套８１は、二つの挿入部８１１を備える。二つの挿入部８１１がほぼポケット状であることにより、二つの翼板３３は挿入部８１１の中に挿入され、水筒外套８１はバックル素子３に結合される。なお、水筒外套８１は、底板３４を対応して挿入部８１１を有する。挿入部８１１が約帯状であることにより、底板３４の根部は挿入部８１１の中に挿入され、水筒外套８１の底部はバックル素子３に結合される。さらに、水筒外套８１は、開口を有し、水筒８の口部が露出されることにより、使用者が水筒８を使用しやすいようにする。水筒外套８１は、さらにファスナーテープ８１２を有することにより、水筒８を水筒外套８１の中に取り出し或いは入れやすいようにする。上記のように、水筒外套８１は、水筒８の破壊を防ぐ効果及び保温効果を持っている。
【００４７】
図９Ｃは、本考案の第９の実施形態の自転車用バックルのバックル素子を示す斜視図である。図９Ｃに示すように、本考案の第９の実施形態は、第８の実施形態と類似しており、第８の実施形態の符号を実質的に使用している。しかし、第２の実施形態と第１の実施形態との相違点は、二つの翼板３３がバンディングテープ３６を有する。二つの翼板３３のそれぞれは多くの通孔（標示せず）を有することにより、バンディングテープ３６は翼板３３の上に穿設される。面ファスナー或いは固定リングなどの部材により、バンディングテープ３６は、二つの翼板３３の間に着脱自在に繋げれやすいようにする。そのため、水筒８は、バンディングテープ３６によりバックル素子３に直接に固定される。なお、バックル素子３と水筒８との接触面の滑り及び破壊を防止することを考慮して、バックル素子３と水筒８との接触面の適切な位置に柔軟性クッションｅを設ける。
【００４８】
図１０Ａ乃至図１０Ｃは、本考案の第１０の実施形態の自転車用バックルの組み立て過程を示す斜視図であり、その視角方向はフレーム５から自転車用バックルに向かい、フレーム５を省略する。図１０Ａ乃至図１０Ｃに示すように、本考案の第１０の実施形態は、第１及び第８の実施形態と類似しており、第１及び第８の実施形態の符号を実質的に使用している。しかし、第１０の実施形態特徴は、バックル素子３の第１の可動台３１の馬蹄部３１１の開口が上向きとなり、第２の可動台３２の馬蹄部３２１の開口が下向きとなり、第１の可動台３１は馬蹄部３１１及び導引部３１２を有する。図１０Ａ乃至図１０Ｃは、バックル素子３の第１の可動台３１及び第２の可動台３２と固定素子１の第１の固定台１１及び第２の固定台１２との組み立て過程を示している。
【００４９】
先ず、図１０Ａに示すように、前端が低く且つ後端が高い傾斜状でバックル素子３を下から上へ固定素子１に向かって移動し、バックル素子３の前端の第１の可動台３１は馬蹄部３１１の開口を第１の固定台１１の凹部１１１の下に位置させる。此の時、バックル素子３の後端の第２の可動台３２は、第２の固定台１２よりも高く、両者間には接触がない。
【００５０】
次に、図１０Ｂに示すように、バックル素子３の前端の第１の可動台３１を継続して第１の固定台１１の凹部１１１に沿って上方向へ移動する。第１の固定台１１は、第１の可動台３１の馬蹄部３１１の底端を当接するまで第１の可動台３１の馬蹄部３１１の開口及び導引部３１２を順番に通過する。此の時、バックル素子３の後端の第２の可動台３２を第２の固定台１２と同じ高さに下げる。さらに、バックル素子３の後端の第２の可動台３２の馬蹄部３２１の開口を第２の固定台１２の凹部１２１の上に位置させる。
【００５１】
その後、図１０Ｃに示すように、第２の可動台３２の馬蹄部３２１を下方向へ第２の固定台１２の凹部１２１の中に係合し、係合の結合を形成する。此の時、第１の可動台３１を下げ、第１の固定台１１を相対的に第１の可動台３１の導引部３１２まで上げ、第１の可動台３１を第１の固定台１１から離脱しないようにする。したがって、バックル素子３は固定素子１の上に固定され、固定素子１から離脱することはない。バックル素子３は固定素子１の上に固定される時、第１の固定台１１を当接する第１の可動台３１の導引部３１２は、係合部であることが好まく、それにより、バックル素子３の固定効果を高める。
【００５２】
さらに、バックル素子３を固定素子１から外す時、上述した取り付けるステップと反対の順番で行うことができ、その操作が簡易なことである。なお、バックル素子３の第１の可動台３１の導引部３１２の長さは、固定素子１の第１の固定台１１及び第２の固定台１２のサイズ及び距離を対応して、得られる。第２の可動台３２を第２の固定台１２に係合する時、第１の可動台３１を第１の固定台１１から離脱することはない。上記から分かるように、従来の自転車用バックルは、水筒を取出する時或いは自転車に振動が発生する時に、水筒の表面上の材料或いは印刷品の破損が容易に発生し、水筒の品質及び美感に影響を与えることがあり、或いは、水筒がフレームの上に配置されない時、自転車の外観に影響を与えることがあり、折り畳み自転車には適合しなかった。従来の自転車用バックル（特にボトルケージ）に比べ、図２の本考案の自転車用バックルは、水筒の表面上の破損を防ぐことができる上、固定強度及び着脱の便利を高めることもできる。さらに、自転車用バックルは、物入れ容器又はラックでもよく、自転車の機能を高めることができる。
【符号の説明】
【００５３】
ａ 螺着素子、ｂ 固定ワッシャー、ｃ 第１の面ファスナー、ｄ 第２の面ファスナー、１ 固定素子、３、３ａ、３ｂ バックル素子、１１、１１’ 第１の固定台、１１１ 凹部、１１２ 貫通穴、１２ 第２の固定台、１２１ 凹部、１２２ 貫通穴、３１、３１ａ、３１ｂ 第１の可動台、３１１、３１１’、 ３１１ａ、３１１ｂ 馬蹄部、３１２、３１２ａ、３１２ｂ 導引部、３２、３２ａ、３２ｂ 第２の可動台、３２１、３２１ａ 馬蹄部、３２１ｂ フランジ、３２１ｂ’ 外フランジ、３２２ 、３２２ａ 導引部、３２３ａ 延長導引部、３３ 翼板、３４ 底板、３５ 係合凸部、３６ バンディングテープ、５ フレーム、５１ ネジ穴、７ 物件、７１ 外筒、８ 水筒、８１ 水筒外套、８１１ 挿入部
【図１】
0003174688.tif 000003
【図２】
0003174688.tif 000004
【図３Ａ】
0003174688.tif 000005
【図３Ｂ】
0003174688.tif 000006
【図４Ａ】
0003174688.tif 000007
【図４Ｂ】
0003174688.tif 000008
【図４Ｃ】
0003174688.tif 000009
【図４Ｄ】
0003174688.tif 000010
【図５】
0003174688.tif 000011
【図６】
0003174688.tif 000012
【図７】
0003174688.tif 000013
【図８Ａ】
0003174688.tif 000014
【図８Ｂ】
0003174688.tif 000015
【図９Ａ】
0003174688.tif 000016
【図９Ｂ】
0003174688.tif 000017
【図９Ｃ】
0003174688.tif 000018
【図１０Ａ】
0003174688.tif 000019
【図１０Ｂ】
0003174688.tif 000020
【図１０Ｃ】
0003174688.tif 000021